(57)【特許請求の範囲】
【請求項１】
濾過もしくは凝集濾過による少水量高濃度ＳＳ排水処理プロセスと凝集沈殿による雨天時の多水量低濃度ＳＳ排水処理プロセスを切り替えて用いる、ＳＳを含むヤード排水の処理方法であって、晴天時の散水による少水量で高濃度のＳＳを含むヤード排水を前記少水量高濃度ＳＳ排水処理プロセスで処理し、基準降雨量を超えたときの多水量で低濃度のＳＳを含むヤード排水を前記多水量低濃度ＳＳ排水処理プロセスで処理することを特徴とするヤード排水のＳＳ除去処理方法。
【請求項２】
濾過もしくは凝集濾過による少水量高濃度ＳＳ排水処理プロセスと凝集沈殿による多水量ＳＳ排水処理プロセスを併用する、ＳＳを含むヤード排水の処理方法であって、晴天時の少水量で高濃度のＳＳ排水を少水量高濃度ＳＳ排水処理プロセスで処理し、雨天時には、多水量で低濃度のＳＳ排水を多水量低濃度ＳＳ排水処理プロセスにオーバーフロー（またはバイパス）させて導入し、少水量高濃度ＳＳ排水処理プロセスと多水量低濃度ＳＳ排水処理プロセスを併用して処理することを特徴とするヤード排水のＳＳ除去処理方法。
【請求項３】
少水量高濃度ＳＳ排水処理プロセスと多水量低濃度ＳＳ排水処理プロセスの切り替えの時期を、降雨量情報で判定することを特徴とする請求項１または請求項２に記載のヤード排水のＳＳ除去処理方法。
【請求項４】
少水量高濃度ＳＳ排水処理プロセスと多水量低濃度ＳＳ排水処理プロセスの切り替えの時期を、これらの排水処理プロセスの前段の原水槽または調整槽の水位レベルで判定することを特徴とする請求項１または請求項２に記載のヤード排水のＳＳ除去処理方法。
【請求項５】
濾過もしくは凝集濾過による少水量高濃度ＳＳ排水処理プロセスと凝集沈殿による多水量低濃度ＳＳ排水処理プロセスを併用する、ＳＳを含むヤード排水の処理方法であって、多水量ＳＳ排水処理プロセスの前段に晴天時の少水量高濃度ＳＳ排水プロセスを直列配置し、少水量で高濃度のＳＳを含む排水と、多水量で低濃度のＳＳを含む排水を、まず少水量高濃度ＳＳ排水処理プロセスで処理し、ついで多水量低濃度ＳＳ排水処理プロセスで処理することを特徴とするヤード排水のＳＳ除去処理方法。
【請求項６】
濾過もしくは凝集濾過による少水量高濃度ＳＳ排水処理プロセスと凝集沈殿による多水量低濃度ＳＳ排水処理プロセスを併用する、ＳＳを含むヤード排水の処理方法であって、晴天時の少水量高濃度ＳＳ排水プロセスの前段に多水量低濃度ＳＳ排水処理プロセスを直列配置し、少水量で高濃度のＳＳを含む排水と、多水量で低濃度のＳＳを含む排水を、まず多水量低濃度ＳＳ排水処理プロセスでで処理し、ついで少水量高濃度ＳＳ排水処理プロセスで処理することを特徴とするヤード排水のＳＳ除去処理方法。
【請求項７】
少水量高濃度ＳＳ排水処理プロセスの濾過機の逆洗水を、多水量低濃度ＳＳ排水処理プロセスに導入して処理することを特徴とする請求項１〜請求項６のいずれかに記載のヤード排水のＳＳ除去処理方法。
【発明の詳細な説明】
【０００１】
【発明の属する技術分野】
本発明は、粉粒体（塊を含み、以下「粉粒体」という。）を貯蔵した野外ヤードで、散水や雨水などにより生じるＳＳを含む排水の処理方法に関するものである。
【０００２】
【従来の技術】
例えば、製鉄業での排水としては、大別して
（１）工場の生産活動に伴って冷却、洗浄時に発生する冷却排水、洗浄排水などの工場排水
（２）降雨に伴って発生する雨水排水
がある。
【０００３】
従来は、主として（１）の工場排水に対して公害防止対策を講じていたが、最近、公害に対する認識の高まりから雨天時の対策も講じている。ローカル条件によって程度の差はあるが、降雨に伴って公害上の問題を発生する場所と公害対象（物質）としては、
１．原料、副原料、石炭ヤード・・ＳＳ（浮遊性物質）、色度、ＰＨ
２．スクラップヤード・・・・・・ＳＳ、色度、油
３．バラスヤード・・・・・・・・ＳＳ、ＰＨ
などがある。
【０００４】
従来、これらの野外ヤードの排水処理プロセスの内、ＳＳを除去する排水処理プロセスとしては、図６に示すように、例えば鉄鉱石１の貯蔵ヤード２からの多量のＳＳを含むヤード排水３をＵ字溝４を経てポンプピット５に集め、ポンプピット５からポンプＰａで調整槽６に集めて水量調整してから、凝集剤７や処理剤８を添加した撹拌器９付きの凝集反応槽１０経由で沈殿池１１に導き、凝集反応槽１０で凝集させたＳＳを沈殿させて除去し、水槽１２経由で無害化した上澄水３ｃを水槽１２経由で河川や海に放流する排水処理プロセスが知られている。  この従来の排水処理プロセスでは、晴天時、雨天時を兼ねるようになっており、最大降雨量を想定した容量を処理できるように大規模の凝集反応槽１０と沈殿池１１が配置されているため設備コスト負担が大きい。
【０００５】
近年、ヤード２からの粉塵の飛散を防止する観点から、晴天時の散水が増えており、少水量ながらＳＳを含む排水３が絶えることはなく、排水処理は毎日行われている。
この排水処理においては、雨天時の排水量に対応する大容量の凝集反応槽１０に凝集剤７を添加して排水４中のＳＳを凝集し、大きなＳＳフロックを生成して沈殿池１１で沈殿させ、上澄水３ｃを放流するものであり、凝集反応槽１０において添加される凝集剤７の量が少ないと、ＳＳフロックが微細になり、沈殿池１１からの流量を絞ってもＳＳフロックが流出して水質規制に触れる懸念があることから、凝集剤７の添加量はＳＳ濃度の変化が激しい晴天時をベースに決めていることが多い。
【０００６】
しかし、晴天時でもＳＳ濃度が大きく異なる。特に溝に溜まったＳＳが一気にはきだされるため、ＳＳ濃度は排水初期に高く、次第に安定化する傾向がある。また、雨天時には、排水量が晴天時の２〜１０倍まで増加することがあり、降雨量が多くなるほど排水３中のＳＳ濃度が低くなる。
【０００７】
このように、排水中のＳＳ濃度が大きく変化するにもかかわらず、従来、凝集剤７の添加量をＳＳ濃度の高い晴天時をベースとして設定しており、比較的高価な凝集剤７の消費量が多く、排水処理コスト負担が大きいという問題もある。
【０００８】
【発明が解決しようとする課題】
本発明は、ヤードの排水中のＳＳを除去する排水処理方法において、設備コスト負担を軽減するとともに、凝集剤のコスト負担を大幅に節減して、排水処理コスト負担を大幅に軽減できる排水処理方法を提供するものである。
【０００９】
【課題を解決するための手段】
本発明は、下記（１）〜（７）の発明から構成されるものである。
（１）．濾過もしくは凝集濾過による少水量高濃度ＳＳ排水処理プロセスと凝集沈殿による雨天時の多水量低濃度ＳＳ排水処理プロセスを切り替えて用いる、ＳＳを含むヤード排水の処理方法であって、晴天時の散水による少水量で高濃度のＳＳを含むヤード排水を前記少水量高濃度ＳＳ排水処理プロセスで処理し、基準降雨量を超えたときの多水量で低濃度のＳＳを含むヤード排水を前記多水量低濃度ＳＳ排水処理プロセスで処理することを特徴とするヤード排水のＳＳ除去処理方法。
（２）．濾過もしくは凝集濾過による少水量高濃度ＳＳ排水処理プロセスと凝集沈殿による多水量ＳＳ排水処理プロセスを併用する、ＳＳを含むヤード排水の処理方法であって、晴天時の少水量で高濃度のＳＳ排水を少水量高濃度ＳＳ排水処理プロセスで処理し、雨天時には、多水量で低濃度のＳＳ排水を多水量低濃度ＳＳ排水処理プロセスにオーバーフロー（またはバイパス）させて導入し、少水量高濃度ＳＳ排水処理プロセスと多水量低濃度ＳＳ排水処理プロセスを併用して処理することを特徴とするヤード排水のＳＳ除去処理方法。
（３）．（１）または（２）において、少水量高濃度ＳＳ排水処理プロセスと多水量低濃度ＳＳ排水処理プロセスの切り替えの時期を、降雨量情報で判定することを特徴とするヤード排水のＳＳ除去処理方法。
（４）．（１）または（２）において、少水量高濃度ＳＳ排水処理プロセスと多水量低濃度ＳＳ排水処理プロセスの切り替えの時期を、これらの排水処理プロセスの前段の原水槽または調整槽の水位レベルで判定することを特徴とするヤード排水のＳＳ除去処理方法。
（５）．濾過もしくは凝集濾過による少水量高濃度ＳＳ排水処理プロセスと凝集沈殿による多水量低濃度ＳＳ排水処理プロセスを併用する、ＳＳを含むヤード排水の処理方法であって、多水量ＳＳ排水処理プロセスの前段に晴天時の少水量高濃度ＳＳ排水プロセスを直列配置し、少水量で高濃度のＳＳを含む排水と、多水量で低濃度のＳＳを含む排水を、まず少水量高濃度ＳＳ排水処理プロセスで処理し、ついで多水量低濃度ＳＳ排水処理プロセスで処理することを特徴とするヤード排水のＳＳ除去処理方法。
（６）．濾過もしくは凝集濾過による少水量高濃度ＳＳ排水処理プロセスと凝集沈殿による多水量低濃度ＳＳ排水処理プロセスを併用する、ＳＳを含むヤード排水の処理方法であって、晴天時の少水量高濃度ＳＳ排水プロセスの前段に多水量低濃度ＳＳ排水処理プロセスを直列配置し、少水量で高濃度のＳＳを含む排水と、多水量で低濃度のＳＳを含む排水を、まず多水量低濃度ＳＳ排水処理プロセスでで処理し、ついで少水量高濃度ＳＳ排水処理プロセスで処理することを特徴とするヤード排水のＳＳ除去処理方法。
（７）．（１）〜（６）のいずれかにおいて、少水量高濃度ＳＳ排水処理プロセスの濾過機の逆洗水を、多水量低濃度ＳＳ排水処理プロセスに導入して処理することを特徴とするヤード排水のＳＳ除去処理方法。
【００１０】
【発明の実施の形態】
本発明は、主として粉粒体を貯蔵する野外ヤードからの排水のＳＳ除去処理方法であり、凝集濾過による少水量高濃度ＳＳ排水処理プロセスと、凝集沈殿による多水量低濃度ＳＳ排水処理プロセスを用いて処理するものであり、基本的には、少水量でＳＳ濃度の高い晴天時（ここでは、降雨のない時、降雨量が少なくて粉粒体が乾燥状態で飛散する状態にある時を意味し、以下「晴天時」という。）の排水処理には、少水量高濃度ＳＳ排水処理プロセスを用い、多水量でＳＳ濃度の低い雨天時の排水には、多水量低濃度ＳＳ排水処理プロセスを用いるものである。
【００１１】
本発明では、少水量高濃度ＳＳ排水処理プロセスには、凝集濾過プロセスを用いるので、晴天時のＳＳ濃度が高い時には５００ｍｇ／リットル以上の比較的高濃度の排水に対して、そのＳＳ濃度に見合う凝集剤が多少不足していても、濾材間に捕捉されているＳＳフロックにＳＳが容易に吸着・捕捉され、ＳＳの除去が確実に行われるので、凝集剤の使用量を従来より５０％程度少なくすることができる。
【００１２】
本発明で用いる凝集濾過プロセスの濾過機としては、天然砂や浮上濾材を濾材として用いる周知の各種濾過機を用いることができるが、濾過機能を安定確保する上で、濾材を気体や液体で逆洗する構造を有するものが有利である。
【００１３】
また、多水量でＳＳ濃度の低い雨天時の排水は、多量でＳＳ濃度は３００ｍｇ／リットルと比較的低いので、凝集剤の使用量は、少水量高濃度ＳＳ排水処理プロセスより少なくてもよいので、少水量高濃度ＳＳ排水処理プロセスと区別して凝集剤の使用量を設定するものであり、従来より５０％程度少なくすることができる。
【００１４】
本発明で用いる凝集剤としては、有機物の高分子凝集剤が多く、他にポリ塩化アルミニウム（ＰＡＣ）などの無機凝集剤、陽イオン性または陰イオン性の界面活性剤などを用いることができる。濾材としては、天然砂が一般的であるが、この限りではない。
【００１５】
ここで、少水量で高濃度のＳＳを含む排水に対して、濾過もしくは凝集濾過プロセスに代えて凝集沈殿プロセスを適用した場合には、生成するＳＳフロックは、結合力の小さい微細なもので軽いため、沈殿池から容易に流出してしまい、ＳＳの除去を確実に行なうことは難しいことから、高濃度のＳＳを除去するためには、大量の凝集剤が必要であり、処理コスト負担が大きくなるので好ましくない。
【００１６】
また、本発明では、多水量低濃度ＳＳ排水処理プロセスには、凝集沈殿プロセスを用いるので、対象流量に応じた容量の沈殿池が必要ではあるが、土木構造物でスケールメリットがあり、容量増加の割合で設備費が増加しないメリットがあり、大型化も容易である。
また、ＳＳを沈殿池で凝集沈殿させるが、ＳＳ濃度は低いので、上記したように、凝集剤の使用量を従来より少なくてもＳＳを容易に凝集沈殿させて除去することができる。
本発明で凝集沈殿に用いる沈殿池としては、横流式沈殿池や円形沈殿池などの周知の各種の沈殿池を用いることができる。
【００１７】
本発明では、基本的には、ヤードからの排水量（晴天時の散水量、雨天時の降雨量）に応じて、少水量高濃度ＳＳ排水処理プロセスと多水量低濃度ＳＳ排水処理プロセスを切り替え使用するものであるが、少水量高濃度ＳＳ排水処理プロセスと多水量低濃度ＳＳ排水処理プロセスを直列に配置して併用して処理を分担し、相互にバックアップできるようにすることも考慮している。
【００１８】
また、凝集濾過による少水量高濃度ＳＳ排水処理プロセスにおいては、濾過機を逆洗するようになっているが、この逆洗後のＳＳを含む逆洗水は、多水量低濃度ＳＳ排水処理プロセスに導入して、多水量低濃度ＳＳ排水とともに処理することが設備コスト負担、処理コスト負担を軽減する上で有効である。
【００１９】
本発明では、凝集濾過による少水量高濃度ＳＳ排水処理プロセスと、凝集沈殿による多水量低濃度ＳＳ排水処理プロセスの切り替えは、ヤードからの排水量  （ｔ／ｈｒ）が切り替え条件を満たしたとき（散水の排水量レベルか、基準降雨量を超えた排水量レベルかの判定基準に該当時・・・予め判定基準を設定する）、手動または自動的に行うものであるが、この排水量を判定する手段としては、
（１）．目視で判定する。
（２）．晴天時の散水量でヤードからの排水量を推定する。
（３）．降雨情報（当該地域の降雨予報または当該地域の降雨量実績）でヤードからの排水量を推定する。
（４）．排水処理プロセスの前段の原水槽や調整槽の水位を検知してヤードからの排水量を推定する。
（２）〜（４）では、排水量推定システムと切替システムを連動させることにより少水量高濃度ＳＳ排水処理プロセスと凝集沈殿による多水量低濃度ＳＳ排水処理プロセスを自動切替することも可能である。
【００２０】
本発明では、ＳＳを多量に含むヤード排水を処理対象としているが、例えば、色度、ＰＨ、油、ＣＯＤ（化学的酸素要求量）も併せて処理対象とする場合もあり、この場合には、凝集反応槽に、凝集剤の他にＮａＯＨなどの反応処理剤の添加を含む追加的プロセスがあるが、この場合にも本発明の適用に問題はない。
【００２１】
【実施例】
以下に本発明を、設備配置例とともに説明する。
（実施例１）
図１は、本発明を実施する鉄鉱石貯蔵ヤードの排水処理設備の配置例を示すものである。図１は晴天時の少水量で高濃度ＳＳを含む排水を処理している場合を示し、図２は、雨天時の多水量で低濃度ＳＳを含む排水を処理している場合を示している。
【００２２】
図１、図２において、１はヤード２に貯蔵された鉄鉱石、３は散水によって発生したＳＳを含むヤード排水で、Ｕ字溝４を経て原水槽５に集め、ポンプＰａにより調整槽６を経て、凝集剤７や処理剤８を添加して撹拌機９ａで撹拌処理する反応槽１０ａと給水Ｗして撹拌機９ｂで撹拌処理してＳＳフロックを生長させる凝集槽１０ｂからなる凝集反応槽１０に導入する。凝集反応槽１０で反応・凝集処理され生長したＳＳフロックを含む排水を、本発明の排水処理プロセスに導入して処理する。
【００２３】
この実施例では、反応・凝集処理後の排水処理プロセスは、凝集反応槽１０からの生長したＳＳフロックを含む排水を濾過する濾材及びエアーを用いた、逆洗構造を備えた濾過機１３と、この濾過機を逆洗水で逆洗して濾過機能を維持する逆洗装置１４ａ（供給側）、１４ｂ（排出側）からなる少水量高濃度ＳＳ排水処理プロセスＡと、凝集反応槽１０と連絡管１５ａにより接続され、凝集反応槽１０からの生長したＳＳフロックを含む排水を沈殿処理してＳＳフロックを沈殿除去する沈殿池１１ａからなる多水量低濃度ＳＳ排水処理プロセスＢとを並列的に配置している。
【００２４】
少水量高濃度ＳＳ排水処理プロセスＡは、基本的には、晴天時の少水量で高濃度ＳＳを含む排水を処理するためのものであり、多水量低濃度ＳＳ排水処理プロセスＢは、降雨量が基準降雨量を超えた場合の多水量で低濃度ＳＳを含む排水を処理するものであるが、ここでは、
（１）晴天時の少水量高濃度ＳＳ排水処理プロセスＡ単独（晴天時）
（２）雨天時の多水量低濃度ＳＳ排水処理プロセスＢ単独（雨天時）
（３）晴天時の少水量高濃度ＳＳ排水処理プロセスＡと雨天時の多水量低濃度ＳＳ排水処理プロセスＢを併用（雨天時）
の３通りの排水処理プロセスに手動切替えまたは自動切替え可能にしている。
【００２５】
以下に（１）〜（３）の排水処理について説明する。
［（１）による晴天時の少水量高濃度ＳＳ排水処理プロセスＡによる排水処理］
図１に示すように、散水によって発生したＳＳを含むヤード排水３は、Ｕ字溝４を経て原水槽５に集め、ポンプＰａにより調整槽６に導入し、ポンプＰｂにより凝集剤７や処理剤８を添加して撹拌機９ａで撹拌処理する反応槽１０ａと給水Ｗして撹拌機９ｂで撹拌処理してＳＳフロックを生長させる凝集槽１０ｂからなる凝集反応槽１０に導入して処理する。
ここでは、処理する排水はＳＳ濃度が高い排水であるため、ＳＳフロックの生長をより確実にするために、凝集剤７の添加量を多くする。
反応凝集処理され生長したＳＳフロックを含む排水３を、切替弁Ｖａを開にし、ポンプＰ1 により、晴天時の少水量高濃度ＳＳ排水処理プロセスＡの濾過機１３に導入して濾過し、濾過した排水３を水槽１２経由で放流する。
【００２６】
濾過機１３には、濾過の都度、懸濁物量が抑留され、この懸濁物量が一定のレベルまで増えると、濾過抵抗が大きくなって濾過機能が低下し、懸濁物量が漏出して濾過水質が悪化するので、濾過機１３を、適時、逆洗装置１４ａからの逆洗水及びエアーで逆洗して、濾過機能の低下を防止する。
洗浄後の懸濁物を含む逆洗水は、ここでは沈殿池１１ａに導入して沈殿処理するようにしているが、沈殿池１１ａ外に排出するようにしてもよい。
【００２７】
この（１）の排水処理プロセスは、凝集効率が良好で凝集剤の使用量が少なくてすむ濾過凝集を用いており、凝集剤７の使用量を、沈殿凝集のみの場合に比較して大幅に節減することができるもので、晴天時の少水量高濃度ＳＳ排水の処理に適している。
【００２８】
［（２）による雨天時の多水量低濃度ＳＳ排水処理プロセスＢによる排水処理］
図２に示すように、降雨によって発生したＳＳを含むヤード排水３を、Ｕ字溝４を経て原水槽５に集め、ポンプＰａにより調整槽６に導入し、ポンプＰｂにより凝集剤７や処理剤８を添加して撹拌機９ａで撹拌処理する反応槽１０ａと給水Ｗして撹拌機９ｂで撹拌処理しＳＳフロックを生長させる凝集槽１０ｂとからなる凝集反応槽１０に導入して処理する。
ここでは、処理する排水はＳＳ濃度が低い排水であるため、ＳＳフロックの生長のための凝集剤７の添加量を少なく変更する。
【００２９】
雨天時には、降雨により原水槽５、調整槽６、反応凝集槽１０の水位レベルが高くなるので、例えば原水槽５の水位計１６ａで水位レベルを検知し、この水位が一定レベル以上になった場合には、切替弁Ｖａを閉とし晴天時の少水量高濃度ＳＳ排水処理プロセスＡを閉とするとともに、切替弁Ｖｂを開にして、多水量低濃度ＳＳ排水処理プロセスＢを開とし、反応凝集槽１０からの生長したＳＳフロックを含むＳＳ排水を、連絡管１５経由で沈殿池１１ａに導入する。
【００３０】
降雨が止んで排水量が減少し、晴天時の排水量レベルになった場合には、切り替弁Ｖａを開にして晴天時の少水量高濃度ＳＳ排水処理プロセスＡを開にする。
反応凝集槽１０への凝集剤７の添加量は、ただちに増加させる必要はなく、晴天になって、鉄鉱石が乾燥状態になって散水が必要な状態になってから増加させるようにすればよい。
【００３１】
この（２）の排水処理プロセスにおいては、沈殿池１１ａを用いた凝集沈殿処理を行うが、ＳＳ濃度の低い雨天時のヤード排水の処理を、ＳＳ濃度の高い晴天時のヤード排水の処理と区別して行うので、凝集剤の使用量を少なくしても凝集剤の使用量を節減することができ、ＳＳ濃度の高い晴天時のヤード排水の処理とＳＳ濃度の低い雨天時のヤード排水の処理を、同様にして行う従来の場合に比較して、凝集剤の使用量を節減することができる。
【００３２】
［（３）による晴天時の少水量高濃度ＳＳ排水処理プロセスＡと雨天時の多水量低濃度ＳＳ排水処理プロセスＢを併用する排水処理］
この排水処理は、図１に示すように、散水によって発生したＳＳを含むヤード排水３を晴天時の少水量高濃度ＳＳ排水処理プロセスＡで処理中に、降雨があった場合に、この排水処理プロセスＡの切替弁Ｖａを開の状態にしたまま、図２に示すように、雨天時の多水量低濃度ＳＳ排水処理プロセスＢの切替弁Ｖｂを開にして、この排水処理プロセスＢを開の状態にして、排水処理プロセスＡと排水処理プロセスＢとを併用して処理するものである。
【００３３】
この例では、排水処理プロセスＡから排水処理プロセスＢへ切り替える場合、切替弁Ｖｂを設けて開動作するようにしているが、切替弁Ｖｂは不可欠ではなく、図３に示すように、水位レベルが上昇した時に反応凝集槽１０の生長したＳＳフロックを含むＳＳ排水を、オーバーフロー管１７経由でオーバーフローさせて沈殿池１１ａに導入するようにしてもよい。
【００３４】
ここでは、降雨があってヤード排水が増加し、反応凝集槽１０で処理され生長したＳＳフロックを含む排水の反応凝集槽１０での水位が上昇した時に、この排水をオーバーフロー管１７から自然にオーバーフローさせて、このオーバーフロー分を雨天時の多水量低濃度ＳＳ排水処理プロセスＢに導入して沈殿池１１ａで凝集沈殿処理するようにしたものである。この降雨によるたヤード排水３は、ただちにＳＳ濃度が低い排水になるため、ＳＳフロックの生長のための凝集剤７の添加量を少なく変更する。
【００３５】
この（３）の排水処理プロセスにおいては、凝集効率が良好で凝集剤の使用量が少なくてすむ凝集濾過と、凝集沈殿を併用しており、凝集剤の使用量を、凝集沈殿のみの場合に比較して大幅に節減することができる。
【００３６】
（実施例２）
図４は、この実施例２の排水処理設備の配置例を示す。
この実施例２では、凝集反応槽１０に晴天時の少水量高濃度ＳＳ排水処理プロセスＡ（以下「排水処理プロセスＡ」という。）を接続し、その後段に雨天時の多水量低濃度ＳＳ排水処理プロセスＢ（以下「排水処理プロセスＢ」という。）を直列的に接続して、凝集反応槽１０からの生長したＳＳフロックを含む排水を、まず排水処理プロセスＡで処理し、ついで排水処理プロセスＢで沈殿処理するようにしたものである。
【００３７】
この実施例２では、晴天時の少水量で高濃度ＳＳを含む排水も雨天時の多水量で低濃度ＳＳを含む排水も、排水処理プロセスＡと、その後段に接続した雨天時の排水処理プロセスＢで同様にして処理するものである。
この実施例２では、晴天時の少水量で高濃度ＳＳを含む排水を処理する際に、排水処理プロセスＡの凝集濾過プロセスの逆洗のインターバルが長くなった場合に、ＳＳ捕捉限界を超えて濾過機１３からＳＳフロックが流出した場合、後段の排水処理プロセスＢの沈殿処理で確実に除去することもできる。
【００３８】
（実施例３）
図５は、この実施例３の排水処理設備の配置例を示す。
この実施例３では、凝集反応槽１０に雨天時の排水処理プロセスＢの沈殿池１１ｂを接続し、その後段に排水処理プロセスＡを直列に接続して、その後段に雨天時の排水処理プロセスＢの沈殿池１１ａを直列的に接続して、凝集反応槽１０からの生長したＳＳフロックを含む排水を、まず排水処理プロセスＢの沈殿池１１ｂで凝集沈殿処理し、ついで排水処理プロセスＡで処理してから沈殿池１１ａで沈殿処理するようにしたものである。
【００３９】
この実施例３では、晴天時の少水量で高濃度ＳＳを含む排水も雨天時の多水量で低濃度ＳＳを含む排水も、排水処理プロセスＢと、その後段に接続した排水処理プロセスＡで同様にして処理するものである。
この実施例では、晴天時の少水量で高濃度ＳＳを含む排水を処理する際に、まず排水処理プロセスＢで凝集沈殿処理して、粗ＳＳを除去してから後段の排水処理プロセスＡに導入し、凝集濾過して除去するようにしており、排水処理プロセスＡでの負荷を軽減することができる。
また、排水処理プロセスＢによる凝集沈殿処理を先行させるため、晴天時にも反応凝集槽１０での凝集剤の使用量を少なくすることができ、凝集剤７の使用量を大幅に節減することができる。
【００４０】
【実験例】
実施例１（図１、図２）のような設備配置例を用いて、鉄鉱石ヤードの晴天時の散水による排水と雨天時の降雨による排水のＳＳ除去処理を行った。実験条件と実験結果の評価について以下に説明する。
【００４１】
［実験条件］
鉄鉱石ヤード
ヤード面積  ：３００，０００ｍ3 
排水のＳＳ濃度
晴天時の散水排水：５００ｍｇ／リットル
雨天時の降雨排水：２００ｍｇ／リットル
排水処理量
晴天時の散水排水：３ｍ3 
雨天時の降雨排水：２０ｍ3 
凝集剤：ＰＡＣ、高分子凝集剤
濾過機
処理能力：３ｍ3 ／分
沈殿池（水平横流式）
容量：１，０００ｍ3 
［評価］
従来との比較
凝集剤の使用量：従来の５０％以下に節減
ＳＳ濃度：１０ｍｇ／リットル、従来は２０ｍｇ／リットル
【００４２】
以上のように、本発明のヤード排水のＳＳ除去処理方法においては、前記図５に示したような、従来の凝集沈殿方式のヤード排水のＳＳ除去処理方法に比較して、凝集剤の使用量を大幅に節減することができ、処理コストを大幅に節減することができる。また、凝集濾過プロセスを用ることにより設備コストを増加させないで、処理能力を向上することもできる。
なお、実施例２、実施例３の設備配置例による場合には、さらに、これらの効果を確かなものにすることができる。
【００４３】
【発明の効果】
本発明では、濾過もしくは凝集濾過による少水量高濃度ＳＳ排水処理プロセスと、凝集沈殿による多水量低濃度ＳＳ排水処理プロセスを併用し、切り替えまたは直列配置して処理するものであり、凝集剤のコスト負担を大幅に節減するとともに、全体の設備コスト負担も軽減でき、排水処理コスト負担を大幅に軽減することができる。
【図面の簡単な説明】
【図１】本発明のヤード排水処理方法を実施する、晴天時の排水処理プロセスと雨天時の排水処理プロセスを切り替え可能な排水処理設備例を示す側断面説明図で晴天時の排水処理状態を示す。
【図２】本発明のヤード排水処理方法を実施する、晴天時の排水処理プロセスと雨天時の排水処理プロセスを切り替え可能な排水処理設備例を示す側断面説明図で雨天時の排水処理状態を示す。
【図３】本発明のヤード排水処理方法を実施する晴天時の排水処理プロセスと雨天時の排水処理プロセスを切り替え可能な他の排水処理設備例を示す側断面説明図。
【図４】本発明のヤード排水処理方法を実施する晴天時の排水処理プロセスと雨天時の排水処理プロセスを直列配置する排水処理設備例を示す側断面説明図。
【図５】本発明のヤード排水処理方法を実施する晴天時の排水処理プロセスと雨天時の排水処理プロセスを直列配置する多の排水処理設備例を示す側断面説明図。
【図６】従来のヤード排水処理方法を実施する排水処理設備例を示す側断面説明図。
【符号の説明】
１    鉄鉱石（粉粒体）
２    ヤード
３    ＳＳ排水
４    Ｕ字溝
５    原水溝
６    調整槽
７    凝集剤
８    処理剤
９、９ａ、９ｂ    撹拌器
１０    反応凝集槽
１０ａ    反応槽
１０ｂ    凝集槽
１１、１１ａ、１１ｂ    沈殿池
１２    水槽
１３    濾過機
１４ａ、１４ｂ    逆洗装置
１５    連絡管
１６    水位計
１７    オーバーフロー管
Ｐａ、Ｐｂ、Ｐ1     ポンプ
【図１】
0003890461.tif 000002
【図２】
0003890461.tif 000003
【図３】
0003890461.tif 000004
【図４】
0003890461.tif 000005
【図５】
0003890461.tif 000006
【図６】
0003890461.tif 000007